(57)【要約】【課題】  チップ部品等の細かい立方体状の電気部品も挟持することができ、更に立方体状の電気部品との接触面積を大きくすることができて強く固定することができ、立方体状の電気部品の測定を行い易くすることができる計測用クリップを提供する。【解決手段】  電気部品５の抵抗値、電圧や電流等の値を計測するための測定器に接続され、二股状に枢着された一対のクリップ本体１、１の先端で電気部品５を挟んで掴むようにした計測用クリップにおいて、一対のクリップ本体１、１が開閉自在に枢着されてバネ４によって先端側が閉まる方向に付勢され、電気部品５を挟持するための一対のクリップ本体１、１の先端側が、先端部１ａ、１ａに向けて次第に細くなる板状に形成されてその内側が平坦面１ｂ、１ｂに形成されており、立方体状の電気部品５を先端の平坦面１ｂ、１ｂで挟んだ状態で電気部品５の抵抗値、電圧や電流等を計測するようにした。【選択図】  図１
2009121830.tif 000002
【特許請求の範囲】
【請求項１】
電気部品の抵抗値、電圧や電流等の値を計測するための測定器に接続され、二股状に枢着された一対のクリップ本体の先端で前記電気部品を挟んで掴むようにした計測用クリップにおいて、前記一対のクリップ本体が開閉自在に枢着されてバネによって先端側が閉まる方向に付勢され、電気部品を挟持するための前記一対のクリップ本体の先端側が、先端に向けて次第に細くなる板状に形成されてその内側が平坦面に形成されており、立方体状の電気部品を前記先端の平坦面で挟んだ状態で前記電気部品の抵抗値、電圧や電流等を計測するようにしたことを特徴とする計測用クリップ。
【請求項２】
前記一対のクリップ本体の先端側の内側の平坦面に凹溝がそれぞれ形成され、双方の凹溝内に前記立方体状の電気部品が入り込んだ状態で挟持されることにより、前記立方体状の電気部品が前記双方の凹溝の４隅に接触した状態で挟持されるように構成した請求項１に記載の計測用クリップ。
【発明の詳細な説明】
【技術分野】
【０００１】
本発明は、電気部品の抵抗値、電圧や電流等の値を計測するための測定器に接続され、二股状に枢着された一対のクリップ本体の先端で前記電気部品を挟んで掴むようにした計測用クリップに関するものである。
【背景技術】
【０００２】
従来、電気部品の抵抗値、電圧や電流等の値を計測するための計測用クリップは、図３（ａ）に示すようにワニ口クリップ１０１からなり、電気部品を挟む所が山谷形状の凹凸部１０２に形成されていた。この山谷形状の凹凸部１０２は、図３（ｂ）に示すように、棒状の端子１０３等を固定するには適しているが、図３（ｃ）に示すように、立方体状の電気部品１０４を挟むときに山谷形状の凹凸部１０２の先端だけで立方体状の電気部品１０４を挟んだときに点接触となり電気部品１０４との接触面積が小さいために、この立方体状の電気部品１０４を挟み難く強く固定することができないという問題があった。
【０００３】
第１の従来技術を図４（ａ）（ｂ）（ｃ）に示す。この従来の引っ掛かりクリップは、図４（ａ）（ｂ）に示すように、挟み先２０１を湾曲した細い形状とし、更に挟み先２０１の爪２０２を内側に略Ｖ字形に凹んだ形状している。そして図４（ｂ）に示すように          挟み先２０１でネジＮの頭部分の近傍を挟むようにしている。（例えば、特許文献１参照）。
【０００４】
ところが、この従来の引っ掛かりクリップは、挟み先２０１を湾曲した細い形状に形成されているから、立方体状の電気部品を挟む際に点２箇所で挟むことになるから、立方体状の電気部品との接触面積が小さいために、立方体状の電気部品を挟み難く強く固定することができず、用途が限られているという問題があった。
【０００５】
第２の従来技術を図５（ａ）（ｂ）（ｃ）に示す。この従来の電子機器のテストクリップは、図５（ａ）（ｂ）に示すように、断面コ字形の第１の挟持片３０１と、先端部が針状の電極３０３を有する第２の挟持片３０２を有している。そして、図５（ｃ）に示すように、尖った針状部３０４をコネクタ３１４の電極ピン３１３に接触させると共に挟持部３０５と第１の挟持片３０１の先端部３０１ａとでコネクタ３１４のハウジング３１５を挟むようにしている。（例えば、特許文献２参照）。
【０００６】
ところが、これにおいては、第２の挟持片３０１が棒状で第１の挟持片３０１が細くなっていないから、コネクタ３１４などの電気部品は固定できるが、チップ部品等の立方体状の電気部品は固定できないという問題があった。
【特許文献１】実開昭５５−１７５９８２号公報
【特許文献２】実開平３−７２６７号公報
【発明の開示】
【発明が解決しようとする課題】
【０００７】
本発明は上記従来の問題に鑑みてなされたものであって、チップ部品等の細かい立方体状の電気部品も挟持することができ、更に立方体状の電気部品との接触面積を大きくすることができて強く固定することができ、立方体状の電気部品の測定を行い易くすることができる計測用クリップを提供することを目的としている。
【課題を解決するための手段】
【０００８】
本発明は、上記課題を解決するために提案されたものであって、請求項１に記載の発明は、電気部品の抵抗値、電圧や電流等の値を計測するための測定器に接続され、二股状に枢着された一対のクリップ本体の先端で前記電気部品を挟んで掴むようにした計測用クリップにおいて、前記一対のクリップ本体が開閉自在に枢着されてバネによって先端側が閉まる方向に付勢され、電気部品を挟持するための前記一対のクリップ本体の先端側が、先端に向けて次第に細くなる板状に形成されてその内側が平坦面に形成されており、立方体状の電気部品を前記先端の平坦面で挟んだ状態で前記電気部品の抵抗値、電圧や電流等を計測するようにしたことを特徴としている。
【０００９】
請求項２に記載の発明は、請求項１に記載の発明において、前記一対のクリップ本体の先端側の内側の平坦面に凹溝がそれぞれ形成され、双方の凹溝内に前記立方体状の電気部品が入り込んだ状態で挟持されることにより、前記立方体状の電気部品が前記双方の凹溝の４隅に接触した状態で挟持されるように構成した。
【発明の効果】
【００１０】
請求項１に記載の発明によれば、電気部品を挟持するための一対のクリップ本体の先端側が、先端に向けて次第に細くなる板状に形成されてその内側が平坦面に形成されているから、チップ部品等の細かい立方体状の電気部品を挟持することができ、更に立方体状の電気部品との接触面積を大きくすることができて強く固定することができ、立方体状の電気部品の測定を行い易くすることができる。
【００１１】
請求項２に記載の発明によれば、一対のクリップ本体の先端側の内側の平坦面に凹溝が形成されているから、双方の凹溝内に前記立方体状の電気部品が入り込んだ状態で挟持することができる。更に、立方体状の電気部品が双方の凹溝の４隅に接触した状態で挟持されるから、立方体状の電気部品を挟持した状態では、この立方体状の電気部品が外れて落下することを防ぐことができる。
【発明を実施するための最良の形態】
【００１２】
以下、本発明に係る計測用クリップの実施の形態について、図を参照しつつ説明する。
【００１３】
図１は本発明の第１実施形態の計測用クリップを示し、（ａ）はその斜視図、（ｂ）は立方体状の電気部品を挟持した状態の斜視図である。
【００１４】
この第１実施形態の計測用クリップは、図１（ａ）に示すように、二股状で開閉自在に枢着されて構成された左右一対のクリップ本体１、１の絶縁性の合成樹脂からなる把持部２、２の内部から測定器（図示略）の＋側、−側にコード３、３が接続されている。そして、左右一対のクリップ本体１、１間には把持部２、２間にバネ４が配置されて、左右一対のクリップ本体１、１の先端側が閉まる方向に付勢されている。更に、左右一対のクリップ本体１、１の先端側が、先端部１ａ、１ａに向けて次第に細くなる板状に形成されている。この先端部１ａ、１ａはその内側が平坦面１ｂ、１ｂに形成されている。そして、図１（ｂ）に示すように、立方体状のチップ部品等の電気部品５を先端部１ａ、１ａの平坦面１ｂ、１ｂで挟んだ状態で測定器により立方体状の電気部品５の抵抗値、電圧や電流等を計測するようになっている。
【００１５】
従って、この第１実施形態によれば、電気部品５を挟持するための一対のクリップ本体１、１の先端側が、先端部１ａ、１ａに向けて次第に細くなる板状に形成されてその内側が平坦面１ｂ、１ｂに形成されているから、チップ部品等の細かい立方体状の電気部品５を挟持することができ、更に立方体状の電気部品５との接触面積を大きくすることができて強く固定することができ、立方体状の電気部品５の測定を行い易くすることができる。
【００１６】
図２は第２実施形態の計測用クリップを示し、（ａ）はその斜視図、（ｂ）は立方体状の電気部品を挟持した状態の斜視図である。尚、上記した第１実施形態と同一部材、同一箇所には同一符号を付して、その説明を省略する。
【００１７】
この第２実施形態の計測用クリップは、図２（ａ）に示すように、左右一対のクリップ本体１、１の先端部１ａ、１ａの内側の平坦面１ｂ、１ｂに凹溝１ｃ、１ｃがそれぞれ形成されている。そして、図２（ｂ）に示すように、双方の凹溝１ｃ、１ｃ内に立方体状の電気部品５が入り込んだ状態で挟持されることにより、立方体状の電気部品５が双方の凹溝１ｃ、１ｃの４隅に接触した状態で挟持されるようになっている。
【００１８】
従って、この第２実施形態によれば、一対のクリップ本体１、１の先端部１ａ、１ａの内側の平坦面１ｂ、１ｂに凹溝１ｃ、１ｃが形成されているから、双方の凹溝１ｃ、１ｃ内に前記立方体状の電気部品５が入り込んだ状態で挟持することができる。更に、立方体状の電気部品５が双方の凹溝１ｃ、１ｃの４隅に接触した状態で挟持されるから、立方体状の電気部品５を挟持した状態では、この立方体状の電気部品５が外れて落下することを防ぐことができる。
【図面の簡単な説明】
【００１９】
【図１】本発明の第１実施形態の計測用クリップを示し、（ａ）はその斜視図、（ｂ）は立方体状の電気部品を挟持した状態の斜視図である。
【図２】第２実施形態の計測用クリップを示し、（ａ）はその斜視図、（ｂ）は立方体状の電気部品を挟持した状態の斜視図である。
【図３】従来の計測用クリップであるワニ口クリップを示し、（ａ）はその斜視図、（ｂ）はその挟持部で棒状の端子を挟持した状態の部分正面図、（ｃ）はその挟持部で立方体状の電気部品を挟んだ状態を示す部分正面図である。
【図４】従来の引っ掛かりクリップを示し、（ａ）はその側面図、（ｂ）はその先端部分を示す部分正面図、（ｃ）はその先端部分でネジの頭部近傍箇所を挟持した状態の側面図である。
【図５】従来の電子機器のテストクリップを示し、（ａ）はその斜視図、（ｂ）はその側面図、（ｃ）はコネクタのハウジングを挟持する前の状態を示す斜視図である。
【符号の説明】
【００２０】
１        クリップ本体
１ａ      先端部
１ｂ      平坦面
１ｃ      凹溝
２        把持部
３        コード
４        バネ
５        電気部品
【図１】
2009121830.tif 000003
【図２】
2009121830.tif 000004
【図３】
2009121830.tif 000005
【図４】
2009121830.tif 000006
【図５】
2009121830.tif 000007